(57)【要約】      （修正有）【課題】主に、サッシと壁面（外壁）との間の繋がりを良くし得る開口部化粧材を提供する。【解決手段】開口部用化粧材２１は、サッシ枠２２の上辺の上または下辺の下に取付可能な化粧材本体２３を有している。化粧材は、表面に溝部３１，３２を有しても良い。溝部３１，３２は、複数本設けられても良い。複数本の溝部３１，３２は、溝深さが異なっても良い。化粧材本体２３は、側面に突起部を有しても良い。化粧材本体２３は、水切部６１を有しても良い。水切部６１と溝部３１，３２とは連設されても良い。化粧材本体２３は箱体となっても良い。化粧材は、通線部を有しても良い。化粧材は、サッシ枠２２を構成する水平枠と垂直枠との両方に亘って設けられても良い。化粧材は、サッシ枠２２と軒天井材９１との間に設置されても良い。【選択図】図１
2020066898.tif 000002
【特許請求の範囲】
【請求項１】
サッシ枠の上または下に取付可能な化粧材本体を有することを特徴とする開口部用化粧材。
【請求項２】
前記化粧材本体は、表側の面に溝部を有することを特徴とする請求項１に記載の開口部用化粧材。
【請求項３】
前記溝部は、複数本設けられていることを特徴とする請求項２に記載の開口部用化粧材。
【請求項４】
複数の前記溝部は、溝深さが異なっていることを特徴とする請求項３に記載の開口部用化粧材。
【請求項５】
前記化粧材本体は、側面に突起部を有していることを特徴とする請求項１ないし請求項４のいずれか１項に記載の開口部用化粧材。
【請求項６】
前記化粧材本体は、水切部を有していることを特徴とする請求項１ないし請求項５のいずれか１項に記載の開口部用化粧材。
【請求項７】
前記水切部と前記溝部とは連設されていることを特徴とする前記請求項２ないし請求項４のいずれか１項を引用する請求項６に記載の開口部用化粧材。
【請求項８】
前記化粧材本体は箱体となっていることを特徴とする請求項１ないし請求項７のいずれか１項に記載の開口部用化粧材。
【請求項９】
前記化粧材本体は、通線部を有することを特徴とする請求項１ないし請求項８のいずれか１項に記載の開口部用化粧材。
【請求項１０】
請求項１ないし請求項９のいずれか１項に記載の開口部用化粧材は、サッシ枠を構成する水平枠と垂直枠との両方に亘って設けられていることを特徴とする開口部構造。
【請求項１１】
前記開口部用化粧材は、前記サッシ枠と軒天井材との間に設置されていることを特徴とする請求項１０に記載の開口部構造。
【発明の詳細な説明】
【技術分野】
【０００１】
この発明は、建物の窓や玄関などの開口部に用いられる開口部用化粧材および開口部構造に関するものである。
【背景技術】
【０００２】
住宅などの建物には、壁面に窓や玄関などが設けられている。このような窓や玄関などを、壁面に設けた開口部にサッシや玄関サッシなどのサッシを取付けることによって構成したものが存在している（例えば、特許文献１、２参照）。
【先行技術文献】
【特許文献】
【０００３】
【特許文献１】実開平２−２３６８９号公報
【特許文献２】実開平６−１０５８５号公報
【発明の概要】
【発明が解決しようとする課題】
【０００４】
上記各特許文献に記載されたサッシは、いずれも玄関サッシに関するものであった。そして、これらの玄関サッシでは、玄関サッシに壁面（外壁）との繋がりを良くするような工夫は特になされていなかった。そのため、玄関サッシと壁面（外壁）との繋がりが良くなく、改善や工夫の余地があった。
【０００５】
そこで、本発明は、主に、上記した問題点を解決することを目的としている。
【課題を解決するための手段】
【０００６】
上記課題を解決するために、本発明は、サッシ枠の上または下に取付可能な化粧材本体を有する開口部用化粧材を特徴とする。
【発明の効果】
【０００７】
本発明によれば、上記構成の開口部用化粧材を用いた開口部構造にすることによって、サッシと壁面（外壁）との間の繋がりを良くすることなどができる。
【図面の簡単な説明】
【０００８】
【図１】本実施の形態にかかる開口部構造の上部を示す縦断面図である。
【図２】図１の部分拡大縦断面図である。
【図３】図２の正面図である。
【図４】開口部用化粧材の縦断面図（図６のＡ−Ａ線に沿った断面図）である。
【図５】開口部用化粧材の上面図である。
【図６】（ａ）は開口部用化粧材の背面図である。（ｂ）は開口部用化粧材の側面図である。
【図７】サッシ枠の上部に対して開口部用化粧材を取付ける状態を示す部分拡大斜視図である。
【図７Ａ】間柱に対する開口部用化粧材と外壁との取付状態を示す横断面図である。
【図８】玄関に対して開口部用化粧材を取付けた実施例を示す、図１と同様の縦断面図である。
【発明を実施するための形態】
【０００９】
以下、本実施の形態を、図面を用いて詳細に説明する。
図１〜図８は、この実施の形態の各実施例を説明するためのものである。
【実施例１】
【００１０】
＜構成＞以下、構成について説明する。
【００１１】
図１に示すように、住宅などの建物１の壁面２に、開口部３を設ける。この開口部３に窓サッシや玄関サッシなどのサッシ４を取付けて窓や玄関を構成する。以下、サッシ４を窓サッシにした例で説明する。
【００１２】
ここで、建物１には、各種の構造のものが存在しているが、そのどれでも良い。この実施例では、建物１をユニット建物５としている。ユニット建物５は、予め工場で製造した建物ユニット６を建築現場へ搬送して、建築現場で組み立てることによって、短期間のうちに建物１を構築できるようにしたものである。
【００１３】
建物ユニット６には、鋼製のもの（鋼製ユニット）や木製（木質ユニット）のものなどが存在しており、そのどちらでも良い。例えば、鋼製ユニットは、４本の柱の上端間を４本の天井梁で矩形状に連結し、４本の柱の下端間を４本の床梁で矩形状に連結してなるボックスラーメン構造のユニットフレームを有している。図では、ユニットフレームを構成する天井梁と、対向する一対の天井梁間に架け渡される天井根太８とを示している。図の建物ユニット６は、最上階に位置する建物ユニット６（上階ユニット）となっている。上記以外の建物１またはユニット建物５の構造については、必要に応じて後述する。
【００１４】
（１）以下、この実施例にかかる開口部用化粧材２１について説明する。
【００１５】
図２（図３）に示すように、開口部用化粧材２１は、サッシ枠２２の上または下に取付可能な化粧材本体２３を有している。
【００１６】
ここで、開口部用化粧材２１は、サッシ枠２２の上辺の上側または下辺の下側の少なくとも一方に取付けることで、サッシ枠２２に装飾を施すなどのための部材である。開口部用化粧材２１は、サッシ枠２２とは別部材で構成され、例えば、エプトブチルテープなどの固定部材２５を用いてサッシ枠２２に仮止めした後、リベットなどの固定具２６を用いて壁面２の開口部の縁部などに屋内側などから本固定することができる。
【００１７】
例えば、エプトブチルテープなどの固定部材２５を開口部用化粧材２１の下部に取付けた場合には、開口部用化粧材２１はサッシ枠２２の上側に貼り付けられるものとなる。また、エプトブチルテープなどの固定部材２５を開口部用化粧材２１の上部に取付けた場合には、開口部用化粧材２１はサッシ枠２２の下側に貼り付けられるものとなる。エプトブチルテープなどの固定部材２５には、シール性を有する防水材（防水テープ）などを用いることができる。防水材には、屋外用の厚手のものなどを使うことができる。以下、開口部用化粧材２１を、サッシ枠２２の上側に取付けるものとして説明する。
【００１８】
サッシ枠２２は、サッシ４の本体部分を構成する枠部のことである。サッシ枠２２は、主にアルミなどで形成されている。サッシ枠２２の内側には、サッシ窓（玄関サッシの場合にはサッシ玄関ドア）などのサッシ可動部２７などが設置される。サッシ枠２２は、壁面２に形成した開口部の内側に設置される部分や、壁面２の外側に設置される部分（または、壁面２よりも外側に出ている部分）などが存在している。サッシ枠２２は、通常の場合、装飾性をほとんど有さないものとされている。
【００１９】
化粧材本体２３は、開口部用化粧材２１の本体部分を構成するものであり、サッシ枠２２の幅方向へ延びる長尺材とされる。化粧材本体２３の表側の面は、サッシ枠２２の表側の面とほぼ面一にするのが好ましい。但し、化粧材本体２３の表側の面とサッシ枠２２の表側の面との間には、若干の段差などがあっても良い。化粧材本体２３は、例えば、壁面２（外壁）と同じ色や、サッシ枠２２と同じ色や、その他の色など、どのような色にしても良いが、壁面２とサッシ４との間に一体感を持たせるために、壁面２とサッシ４との中間色などにすることもできる。この実施例では、サッシ４との繋がりを持たせるために、化粧材本体２３をサッシ枠２２（の上枠など）と同じ色などにしている。化粧材本体２３の表側の面には模様などを施しても良い。
【００２０】
（２）図３（図４）に示すように、開口部用化粧材２１は、表側の面（表面２３ａ）に溝部３１，３２を有しても良い（なお、開口部用化粧材２１の全体的な形状については、図５、図６参照）。
【００２１】
ここで、溝部３１，３２は、化粧材本体２３の表側の面に対する模様（立体模様）などとして形成される。溝部３１，３２は、化粧材をサッシ枠２２に取付けた状態で、例えば、ほぼ水平方向に延びるものとしても良いし、ほぼ上下方向に延びるものとしても良いし、それ以外の方向へ延びるのとしても良い。この実施例では、溝部３１，３２を、ほぼ水平方向に延びるものとしている。溝部３１，３２の幅や深さは、どのようにしても良いが、化粧材本体２３の全長に亘って均一の幅で均一の溝深さに延びるものとするのが好ましい。この溝部３１，３２は、それぞれ底面３３とその両側（上下）の溝側面３４，３５とを有するものとされている。
【００２２】
（３）溝部３１，３２は、複数本設けられても良い。
【００２３】
ここで、溝部３１，３２は、単数設けても良いが、複数本設けるのが好ましい。複数本の溝部３１，３２は、互いに平行なものとしても良いし、非平行なものとしても良い（例えば、交差したものや、互いに傾斜したものなど）。この実施例では、複数本の溝部３１，３２は、平行な状態で上下に間隔を有して２本並設されている。但し、溝部３１，３２の本数などは２本に限るものではない。
【００２４】
（４）図４に示すように、複数本の溝部３１，３２は、溝深さ４１，４２が異なっても良い。
【００２５】
ここで、溝深さ４１，４２は、化粧材本体２３の表面２３ａから底面３３までの溝部３１，３２の凹み量のことである。複数本の溝部３１，３２は、溝深さ４１，４２を同じにすることもできるが、溝深さ４１，４２を異ならせるのが好ましい。この実施例では、上側の溝部３１が相対的に浅く、下側の溝部３２が相対的に深くなっている。各溝部３１，３２は、どのような溝形状としても良いが、この実施例では、入口部（表面側）に対して奥部（底面３３）の幅が狭くなるほぼ台形状の溝としている。このような溝形状とすることにより、複数本の溝部３１，３２は、上側の幅が相対的に狭く見え、下側の幅が相対的に広く見えるようになっている。但し、溝形状はこれに限るものではなく、例えば、入口部（表面側）と奥部（底面３３）との幅を等しくしても良い。
【００２６】
（５）図７に示すように、化粧材本体２３は、側面に突起部５１を有しても良い。
【００２７】
ここで、化粧材本体２３は、側面（端面）を開口とし、この開口を、キャップ５５で塞いだものとしても良い。この場合、キャップ５５は、化粧材本体２３とは別部材で構成されて、化粧材本体２３の端面に取付けられる。キャップ５５は、図６（ｂ）に示すように、化粧材本体２３の端面を覆い開口を塞ぎ得る大きさを有する、側面視ほぼ矩形状のものなどとすることができる。これにより、キャップ５５は、溝部３１，３２の側面や化粧材本体２３の底面３３などを覆い隠すことができるものなどとなる。
【００２８】
そして、このキャップ５５の外面に対して突起部５１を形成するようにしている。この突起部５１は、どのような形状としても良いが、この実施例では、上下方向に延びる突条としている。この実施例では、突起部５１の突条は、キャップ５５の上辺部から下辺部に亘って均一幅および均一高さで連続して直線的に延びるようになっているが、突条の形状や長さはこれに限るものではない。突条は、キャップ５５に対して単数または複数本設けることができる。この実施例では、突条は、キャップ５５の奥行き方向の中間部に１本のみ設けるようにしている。このように、キャップ５５の奥行き方向の中間部に突条を１本のみ設けることで、図７Ａに示すように、突起部５１を壁面２（外壁）との間でガスケットＧを受けるものとすることができる。この場合、キャップ５５と壁面２（外壁）との間には、ガスケットＧを挿入するための隙間（目地部）が形成される。
【００２９】
（６）図４に示すように、化粧材本体２３は、水切部６１を有しても良い。
【００３０】
ここで、水切部６１は、水切りを行うための形状や構造のことである。この実施例では、水切部６１は、化粧材本体２３の下部に設けられている。より具体的には、化粧材本体２３は、下部が、手前側に向かって下り勾配となる傾斜面６５とされており、この傾斜面６５の先端に下方へ延びる屈曲部６６が形成されている。水切部６１は、この傾斜面６５と屈曲部６６とによって構成される。
【００３１】
水切部６１の傾斜面６５は排水勾配となる角度以上の角度を有して、サッシ枠２２の表側の面よりも手前側に延ばされる（図２）。屈曲部６６は、サッシ枠２２の表側の面に対して間隔を有して手前側に設置される。屈曲部６６は、正面から見て、サッシ枠２２の上部と重なって見えるように設けられる。
【００３２】
（７）図４に示すように、水切部６１と溝部３１，３２とは連設されても良い。
【００３３】
ここで、水切部６１は、溝部３１，３２とは、別に設けることができるが、溝部３１，３２と連設して設けるのが好ましい。水切部６１と連設される溝部３１，３２は、どちらでも良いが、この実施例では、下側の溝部３２としている。この実施例では、ほぼ台形状をした下側の溝部３２の下側に位置する溝側面３５ａを、そのまま水切部６１の傾斜面６５と同じ角度にすることで、水切部６１と溝部３２とを一直線状に連設させている。これにより、下側の溝部３２の下側の溝側面３５ａと、水切部６１の傾斜面６５とが共通化されるので、水切部６１と溝部３１が構造的に集約され、その分、化粧材本体２３は小型化される。なお、下側の溝部３２の下側の溝側面３５ａと、水切部６１の傾斜面６５とは、異なる角度を有して連接させても良い。
【００３４】
（８）化粧材本体２３は箱体７１としても良い。
【００３５】
ここで、箱体７１とは、内部に空間７２を有する閉じた物体のことである。化粧材本体２３は、表面２３ａと、裏面２３ｂと、上面２３ｃと、下面２３ｄと、を有する横に細長い長尺体で主に構成されており、その長手方向の両端部をキャップ５５（図６）で塞ぐことにより箱体７１とされている。
【００３６】
化粧材本体２３は、例えば、表面２３ａと、裏面２３ｂと、上面２３ｃと、下面２３ｄとがアルミなどの軽金属製の押出材で一体に形成され、左右の側面が樹脂製のキャップ５５で形成されたものなどとすることができる。これにより、化粧材本体２３を任意の長さに切断して使用することが可能になる。
【００３７】
なお、溝部３１，３２は、化粧材本体２３の表面２３ａに一体に形成される。水切部６１は、化粧材本体２３の下面２３ｄや表面２３ａの下部に一体に形成され。エプトブチルテープなどの固定部材２５は、化粧材本体２３の上面２３ｃや下面２３ｄの奥部に貼り付けられる。化粧材本体２３の裏面２３ｂには、リベットなどの固定具２６を取付けるための取付孔７３（図６（ａ））が形成される。
【００３８】
（９）図４に示すように、化粧材本体２３は、通線部７５を有しても良い。
【００３９】
ここで、通線部７５は、化粧材本体２３の内部の空間７２を利用して設けても良い。上記したように、化粧材本体２３を箱体７１とすることで、化粧材本体２３の内部の空間７２がそのまま通線部７５として使用可能になる。通線部７５に通す配線類７６は、開口部３の回りに設置されるものであれば何でも良く、例えば、アンテナ配線や通信配線や電話配線や電気配線や光ケーブルなどの各種ものとすることができる。なお、化粧材本体２３の内部の空間７２へ配線類７６を通すために、例えば、化粧材本体２３の裏面２３ｂや、キャップ５５の奥部などに、通線部７５となる孔部などを設けることができる。
【００４０】
（１０）以下、開口部用化粧材２１を用いた開口部構造について説明する。
【００４１】
図７に示すように、開口部用化粧材２１は、サッシ枠２２を構成する水平枠８１と垂直枠８２との両方に亘って設けられても良い。
【００４２】
ここで、サッシ枠２２は、少なくとも壁面２よりも外側に出ている部分が、矩形状の枠体となっている。そして、この矩形状の枠体は、上下に位置する一対の水平枠８１と、左右に位置する一対の垂直枠８２とを有している。一対の水平枠８１は、それぞれ同じ長さに形成されて、互いに平行に設置されている。また、一対の垂直枠８２は、それぞれ同じ長さに形成されて、互いに平行に設置されている。
【００４３】
この実施例では、水平枠８１は、垂直枠８２の側面に突き当てることで、垂直枠８２の溝側面３４，３５によって閉止され（または端面が覆い隠され）、垂直枠８２の端部はキャップ８３を取付けることによって閉止されている。水平枠８１の表側の面と垂直枠８２の表側の面とは、ほぼ面一とされている。また、水平枠８１の上面と垂直枠８２の上端のキャップ８３とは、ほぼ面一とされている。
【００４４】
そして、サッシ枠２２は、壁面２に形成された開口部に取付けられるが、この開口部は、壁面２を構成する複数本の間柱８４をサッシ枠２２の位置や大きさに合わせて切断して、切断部分の上下に「まぐさ」などの横材８５（図２）を取付けることなどによって形成される。なお、化粧材本体２３の裏面２３ｂにおける、リベットなどの固定具２６の取付孔７３は、「まぐさ」などの横材８５（図２）の上端からほぼ２０ｍｍ程度下となる位置などに設置される。
【００４５】
そして、上記した垂直枠８２の壁面２よりも外側に出ている部分は、間柱８４の表側の面に設置固定される。この実施例では、垂直枠８２の上記部分は、間柱８４の幅方向の中間部に位置を合わせて取付けられている。間柱８４の表側の面には、シート状の断熱部材８６などを取付けても良い。この場合、シート状の断熱部材８６は、間柱８４と垂直枠８２との間に介在される。シート状の断熱部材８６は、防水性を有する防水部材としても良い。
【００４６】
そして、開口部用化粧材２１は、両端部が水平枠８１よりも、垂直枠８２の分だけ長く延ばされて、端部が垂直枠８２の外側面の位置に揃えられている。開口部用化粧材２１は、水平枠８１と、その両側の垂直枠８２との上部（または下部）に沿ってほぼ水平に設置される。
【００４７】
（１１）図１に示すように、開口部用化粧材２１は、サッシ枠２２と軒天井材９１との間に設置されても良い。
【００４８】
ここで、開口部用化粧材２１は、サッシ枠２２の上側に設置するものとされる。軒天井材９１は、建物１の上部から屋根９の水下側の端部を突出させて成る軒部分（または張出部９０）の下側の面（軒天井）を構成する面材である。軒天井材９１は、屋根９の水下側に設けられた軒樋を下から受ける庇アームの下部に取付けられる。軒樋は、屋根９の水下側の端部に沿って（紙面と垂直な方向へ）延び、庇アームは、軒樋の長手方向に間隔を有して複数設置される。
【００４９】
そして、軒天井材９１は、サッシ枠２２よりも高い位置に設置されている。建物１の壁面２と軒天井材９１との間の奥まったコーナー部には、通常、防水透湿テープや、軒天井材９１とほぼ同様の断熱材の小片などによる隙間対策が施され、この隙間対策部分９２（またはコーナー処理部分）は外部に露出した状態でほぼムキ出しにされるなどしている。または、この部分に、外壁材の小片を取付けることなども行われている。しかし、この部分は、狭い隙間となっているため、部品（例えば、防水透湿テープや断熱材の小片や外壁材の小片など）の収まりが悪く、サッシ枠２２と壁面２（外壁）との繋がりが良くない状態になっている。
【００５０】
これに対し、この実施例では、軒天井材９１の奥側の部分における、サッシ枠２２と断熱材の小片との間の位置に、開口部用化粧材２１を設置して、防水透湿テープや断熱材の小片などの隙間対策部分９２に使われている部品などを隠すようにしている。また、開口部用化粧材２１は、サッシ枠２２やシャッター２８の上部の位置から軒天井材９１の下面の高さまたはそれ以上に及ぶものとなっている。
【００５１】
また、図８は、サッシ枠２２を玄関サッシにした実施例であり、図１の上階の建物ユニット６の上部に設けられた軒部分などの張出部９０を、下階の建物ユニット６の上部に設けられた玄関ポーチなどのための張出部９０Ａに替えたような構造となっている。玄関ポーチなどの張出部９０Ａは、取付用アームの下部に、軒天井材１０３を有する軒天井パネルを取付けた構成を備えている。
そして、サッシ枠２２の上部で且つ軒天井材１０３の奥部に、上記と同様にして開口部用化粧材２１を取付けることにより、玄関ポーチと外壁とのコーナー部を形成するようにしている。この際、化粧材本体２３の内部にＬＥＤライトなどの小型の照明装置１０６を設置して、玄関を上から照らせるようにしている。照明装置１０６のための配線類７６は、屋内側から導かれて、化粧材本体２３の裏面２３ｂに設けた孔部を通して化粧材本体２３の内部の空間７２（通線部７５）へ挿入されるようにしている。その他の構成については、図１のものとほぼ同様である。
【００５２】
＜作用＞以下、この実施例の作用について説明する。
【００５３】
壁面２に取付けられたサッシ枠２２に対して、開口部用化粧材２１を設置する。この実施例では、サッシ枠２２の上側に開口部用化粧材２１を設置している。
【００５４】
この際、図７に示すように、開口部用化粧材２１の下面２３ｄに、予め、エプトブチルテープなどの固定部材２５などを貼り付けておく。エプトブチルテープなどの固定部材２５は、水切部６１の機能の妨げとならないようにするために、開口部用化粧材２１の下面２３ｄの奥部（裏面２３ｂ側）に貼り付けるのが好ましい。
【００５５】
そして、サッシ枠２２における垂直枠８２の端部のキャップ８３の周囲に対してコーキング材ａ１を施す。同時に、間柱８４の表側の面、または、間柱８４の表側の面に設置されたシート状の断熱部材８６の立ち上がり部分にも、開口部用化粧材２１の高さの範囲内にコーキング材ａ２を施す。
【００５６】
次に、開口部用化粧材２１の下面２３ｄに取付けたエプトブチルテープなどの固定部材２５の裏面の離型紙を剥がして、開口部用化粧材２１をサッシ枠２２の上にセットし、開口部用化粧材２１をサッシ枠２２の上に貼り付ける。この際、開口部用化粧材２１の端部を、サッシ枠２２の側面の位置に合わせるようにする。
【００５７】
そして、開口部用化粧材２１をリベットなどの固定具２６で、壁面２の開口部を構成する「まぐさ」などの横材８５や間柱８４などに屋内側から固定する。以上により、開口部用化粧材２１がサッシ枠２２に固定される。これにより、サッシ枠２２が開口部用化粧材２１によって装飾され、開口部用化粧材２１の装飾効果によって、サッシ４と壁面２との間の（外観上や機能上の）繋がりが良くなり一体感が生み出される。
【００５８】
なお、サッシ枠２２の下側に開口部用化粧材２１を設置する場合についても、上下を反対にすることで、上記とほぼ同様に行うことができる。
【００５９】
＜効果＞この実施例によれば、以下のような効果を得ることができる。
【００６０】
（効果 １）開口部用化粧材２１は、サッシ枠２２の上または下に取付可能な化粧材本体２３を有しても良い。これにより、サッシ枠２２の上または下に化粧材本体２３を取付けることで、開口部３が装飾される。そのため、化粧材本体２３を取り付けるだけで、サッシ４や壁面２（外壁）の雰囲気を変えることができる。また、化粧材本体２３を取り付けた分だけ、壁面２（外壁）の占める割合が小さくなり、外観上の印象に対する壁面２（外壁）の影響を小さくすることができる。例えば、サッシ４の上部と、軒天井材９１，１０３の奥部との間の狭い空間に化粧材本体２３を取り付けることで、この狭い隙間に外壁材の小片などを取付ける必要をなくすこともできる。よって、化粧材本体２３を設置することで、サッシ４と壁面２（外壁）との境界をなくしたり、または、目立たなくしたりして、サッシ４と壁面２との間に外観上の連続性を持たせることが可能になる。そのため、サッシ４と壁面２との外観上の繋がりが良くなり、両者の間に一体感を持たせることが可能になる。
また、サッシ枠２２の上（または下）に開口部用化粧材２１を取付けることで、開口部３または開口部３の周辺に用いる部材を開口部用化粧材２１で統一することができ、また、開口部用化粧材２１によって開口部３の周辺に機能（例えば、水切り機能や照明機能など）を追加したりすることができる。そして、開口部用化粧材２１に機能を持たせることで、個別の機能部品などを用いる必要をなくして、開口部３または開口部３の周辺に用いる部品の構成を簡素化（例えば、サッシ枠２２と開口部用化粧材２１のみで構成）することができ、サッシ枠２２の上などの狭い空間に対しても各種の機能を収まり良く設けることができる。そして、サッシ枠２２と開口部用化粧材２１を用いた構成は、類似の収まりとなっている窓と玄関の両方に適用することができる。なお、窓や玄関の上は、空間が狭く、設置する部材の構成が複雑で部品の収まりが悪くなっていたので、開口部用化粧材２１を用いる構成にすることで、狭い空間に対する部品の収まりの問題を解消することができる。このことは、特に、窓や玄関が大きくなるほど効果的となる。
更に、サッシ枠２２の色や形状と、壁面２（外壁）の種類（色や柄など）との組み合わせは無数にあるため、それに合わせようとすると、開口部３の周辺などに用いる部品の部品点数が多くなるが、化粧材本体２３を取付けるようにした場合には、例えば、化粧材本体２３をサッシ枠２２（の上枠など）と同じ色などにすることで、上記したように化粧材本体２３とサッシ枠２２に一体感を持たせることができるので、その分、用意する部品点数を削減することができる。
【００６１】
（効果 ２）開口部用化粧材２１は、表側の面（表面２３ａ）に溝部３１，３２を有しても良い。これにより、溝部３１，３２によって、開口部用化粧材２１の表面２３ａに装飾が施され、開口部用化粧材２１の表面２３ａの形状が複雑化されるので、開口部用化粧材２１の装飾効果を高めると共に、サッシ４と壁面２との間の一体感を高めることができる。
【００６２】
（効果 ３）溝部３１，３２は、複数本設けても良い。これにより、複数本の溝部３１，３２によって、サッシ４と壁面２との間の一体感を更に高めることができる。
【００６３】
（効果 ４）複数本の溝部３１，３２は、溝深さ４１，４２を異ならせても良い。これにより、複数本の溝部３１，３２の間に変化を付けて、サッシ４と壁面２との間の一体感を一層高めることができる。
【００６４】
（効果 ５）化粧材本体２３は、側面に突起部５１を有しても良い。これにより、化粧材本体２３の側面についても、突起部５１によって装飾効果を高めると共に、サッシ４と壁面２との間の一体感を高めることが可能になる。また、突起部５１を壁面２（外壁）との間でガスケットＧを受けるのに使用することもできる。
【００６５】
（効果 ６）化粧材本体２３は、水切部６１を有しても良い。これにより、化粧材本体２３に付着した雨水を水切部６１で水切りすることができる。
【００６６】
（効果 ７）水切部６１は溝部３１，３２（この実施例では、下側の溝部３２となっている）と連設しても良い。これにより、溝部３１，３２内に入った雨水を水切部６１で即座に水切りすることができる。また、水切部６１と溝部３１，３２とを連設することにより、これらの構造を集約して化粧材本体２３の小型化を図ることができる。
【００６７】
（効果 ８）化粧材本体２３は箱体７１としても良い。これにより、化粧材本体２３を取り扱い易くすると共に、化粧材本体２３を内部に水が浸入し難い構造にすることができる。
【００６８】
（効果 ９）化粧材本体２３は、通線部７５を有しても良い。これにより、化粧材本体２３の通線部７５を用いて効率的に配線類７６を取り回すことができる。そして、配線類７６を外部から隠してサッシ枠２２周辺の見栄えを良くすることができる。
【００６９】
（効果 １０）開口部用化粧材２１は、サッシ枠２２を構成する水平枠８１と垂直枠８２との両方に亘って設けられても良い。これにより、開口部用化粧材２１をサッシ枠２２の全幅に亘って装飾可能な見栄えの良い部材にすることができる。また、開口部用化粧材２１を、水平枠８１と垂直枠８２との両方に亘って横に設けることで、水平枠８１と垂直枠８２との合わせ目を開口部用化粧材２１で覆って目立たなくすることができる。
【００７０】
（効果 １１）開口部用化粧材２１は、サッシ枠２２と軒天井材９１との間に設置しても良い。これにより、サッシ枠２２と軒天井材９１との間のこれまでムキ出しになっていた部分（隙間対策部分またはコーナー処理部分）を、開口部用化粧材２１で隠して見栄え良く仕上げることができる。
【符号の説明】
【００７１】
２１    開口部用化粧材
２２    サッシ枠
２３    化粧材本体
３１    溝部
３２    溝部
４１    溝深さ
４２    溝深さ
５１    突起部
６１    水切部
７１    箱体
７５    通線部
８１    水平枠
８２    垂直枠
９１    軒天井材
１０３  軒天井材
【図１】
2020066898.tif 000003
【図２】
2020066898.tif 000004
【図３】
2020066898.tif 000005
【図４】
2020066898.tif 000006
【図５】
2020066898.tif 000007
【図６】
2020066898.tif 000008
【図７】
2020066898.tif 000009
【図７Ａ】
2020066898.tif 000010
【図８】
2020066898.tif 000011